(57)【要約】【課題】カビや雑菌の繁殖を抑制するとともに、水道水に含まれるスケール成分が加湿エレメントに析出することを抑制する加湿装置を得る。【解決手段】吸込口１ａ及び吹出口１ｂが設けられ内部に風路３が形成された本体１と、本体１の風路３上に設けられる加湿エレメント２と、給水弁２３を有し、加湿エレメント２に給水する給水手段２１と、加湿エレメント２に空気を導く送風手段と、給水弁及び送風手段を制御する制御手段８０と、を備え、制御手段８０は、給水弁２３を開放し送風手段５を回転させる加湿モードを行い、加湿モードの終了後に、給水弁２３を開放し送風手段５を停止させる洗浄モードを行い、洗浄モードの終了後に、給水弁２３を閉塞し送風手段５を回転させる乾燥モードを行う。【選択図】図１
2015152214.tif 000002
【特許請求の範囲】
【請求項１】
吸込口及び吹出口が設けられ内部に風路が形成された本体と、
前記本体の前記風路上に設けられる加湿エレメントと、
給水弁を有し、前記加湿エレメントに給水する給水手段と、
前記加湿エレメントに空気を導く送風手段と、
前記給水弁及び前記送風手段を制御する制御手段と、を備え、
前記制御手段は、
前記給水弁を開放し前記送風手段を回転させる加湿モードを行い、前記加湿モードの終了後に、前記給水弁を開放し前記送風手段を停止させる洗浄モードを行い、前記洗浄モードの終了後に、前記給水弁を閉塞し前記送風手段を回転させる乾燥モードを行う
ことを特徴とする加湿装置。
【請求項２】
前記制御手段は、
前記加湿モードの運転時間が長い程、前記洗浄モードを行う時間を長くする
ことを特徴とする請求項１に記載の加湿装置。
【請求項３】
前記風路上であって前記加湿エレメントの上流側に湿度センサを設け、
前記制御手段は、
前記湿度センサの検知値が大きい程、前記乾燥モードを行う時間を長くする
ことを特徴とする請求項１又は請求項２に記載の加湿装置。
【請求項４】
前記給水弁は、
前記加湿エレメントに給水する流量を調整可能な給水流量調整弁で構成され、
前記制御手段は、
前記洗浄モード時の給水量を前記加湿モード時の給水量よりも少なくするように前記給水流量調整弁を制御する
ことを特徴とする請求項１〜請求項３の何れか一項に記載の加湿装置。
【請求項５】
前記制御手段は、
前記加湿モードの終了後に前記洗浄モード及び前記乾燥モードを終了してから基準時間経過後に、前記洗浄モードを行う
ことを特徴とする請求項１〜請求項４の何れか一項に記載の加湿装置。
【発明の詳細な説明】
【技術分野】
【０００１】
本発明は、加湿装置に関する。
【背景技術】
【０００２】
従来より、加湿運転の終了後に加湿エレメントを乾燥させる乾燥運転を行う加湿装置が提案されている。
【０００３】
例えば従来、加湿運転を停止した後に給気用送風機を所定時間運転し、加湿板や気化式の加湿装置の周辺を早急に乾燥させる乾燥運転を行うことで、高湿度の場所におけるカビ等の発生の抑制を図る空気調和装置があった（例えば、特許文献１）。
【０００４】
また従来、加湿運転を停止する予定の停止時刻から所定時間前まで、加湿装置への給水を停止させる一方で加湿装置を乾燥するように送風機を回転させる乾燥運転を行い、空気中に浮遊しているカビの胞子や細菌の加湿装置への付着の抑制を図り、カビの胞子や細菌の繁殖を抑制することで、加湿装置の清掃やそのメンテナンスの負担の軽減を図った空気調和機があった（例えば、特許文献２）。
【０００５】
特許文献２に記載の空気調和装置は、加湿運転を停止している期間（夜間や休日等）を利用して加湿装置に強制的に給水すると同時に、送風機を作動させることで該加湿装置からの水分の気化作用を積極的に促して加湿エレメントを自動洗浄し、その後、加湿装置への給水を停止させて送風機だけを継続的に作動させることで該加湿装置を乾燥させ、これによって加湿装置の清掃やそのメンテナンスの負担を軽減している。
【先行技術文献】
【特許文献】
【０００６】
【特許文献１】特開平４−３８４５号公報（［特許請求の範囲］、第１図）
【特許文献２】特許第３９４８６００号公報（［０００９］、［００１１］）
【発明の概要】
【発明が解決しようとする課題】
【０００７】
特許文献１に記載の空気調和装置は、加湿運転の終了直後において、加湿エレメントに、加湿時に水分のみ蒸発することで供給されていた水道水中に含まれるＣａ、Ｓｉ、Ｍｇなどのスケール成分が高濃度の状態で残っている。このため、加湿運転の終了後に乾燥運転を行うと、多くのスケールが加湿エレメントに析出してしまうという課題があった。特に、加湿エレメントへの供給水が、加湿時に蒸発する水分より少ない場合に、上記課題が顕著となる。また、蒸発に用いられなかった水は、そのまま捨てられてしまうため、単純に供給量を多くすることは望ましくない。
【０００８】
そして、特許文献１に記載の空気調和装置は、加湿エレメントに析出したスケールが、加湿エレメントの微細な凹凸や隙間を埋めてしまうため、加湿エレメントの表面積が減少して加湿性能の劣化に繋がり、析出したスケールの一部が加湿エレメントから離れ、給気風に乗って室内へ飛散してしまうという課題があった。
【０００９】
また、特許文献２に記載の空気調和装置は、加湿運転終了後であっても設定時刻を経過するまで洗浄運転に移行しないため、加湿エレメントに供給された水が、設定時刻が経過する前に、周囲の温湿度によっては自然蒸発で乾燥し、加湿終了後の高濃度のスケール成分が析出してしまうという課題があった。
【００１０】
また、特許文献２に記載の空気調和装置は、洗浄運転において、給水して加湿エレメントを洗浄するときも送風機を運転して通風している。このため、加湿エレメントを洗浄するために給水しても、多くの水が蒸発してしまうため、洗い流すためには供給する水量を多く必要とするという課題を有すると共に、通風しながらの洗浄モードでは、かえって加湿エレメント上のスケール成分が高濃度化するという課題があった。
【００１１】
本発明は、上述のような課題を背景としてなされたものであり、カビや雑菌の繁殖を抑制するとともに、水道水に含まれるスケール成分が加湿エレメントに析出することを抑制することを目的とする。
【課題を解決するための手段】
【００１２】
本発明の加湿装置は、吸込口及び吹出口が設けられ内部に風路が形成された本体と、前記本体の前記風路上に設けられる加湿エレメントと、給水弁を有し、前記加湿エレメントに給水する給水手段と、前記加湿エレメントに空気を導く送風手段と、前記給水弁及び前記送風手段を制御する制御手段と、を備え、前記制御手段は、前記給水弁を開放し前記送風手段を回転させる加湿モードを行い、前記加湿モードの終了後に、前記給水弁を開放し前記送風手段を停止させる洗浄モードを行い、前記洗浄モードの終了後に、前記給水弁を閉塞し前記送風手段を回転させる乾燥モードを行うものである。
【発明の効果】
【００１３】
本発明に係る加湿装置は、制御手段が、給水弁を開放し送風手段を回転させる加湿モードを開始し、加湿モードの終了後に、給水弁を開放し送風手段を停止させる洗浄モードを行い、洗浄モードの終了後に、給水弁を閉塞し送風手段を回転させる乾燥モードを行う。このため、本発明に係る加湿装置は、カビや雑菌の繁殖を抑制するとともに、水道水に含まれるスケール成分が加湿エレメントに析出することを抑制することができる。
【図面の簡単な説明】
【００１４】
【図１】本発明の実施の形態１に係る加湿装置１００の断面図である。
【図２】本発明の実施の形態１に係る加湿装置１００の運転時の制御例を説明するフローチャート（加湿運転シーケンス）である。
【図３】本発明の実施の形態１に係る加湿装置１００の停止時の制御例を説明するフローチャート（加湿停止シーケンス）である。
【図４】本発明の実施の形態２に係る加湿装置１００の運転時の制御例を説明するフローチャート（加湿運転シーケンス）である。
【図５】本発明の実施の形態２に係る加湿装置１００の停止時の制御例を説明するフローチャート（加湿停止シーケンス）である。
【図６】本発明の実施の形態２に係る加湿装置１００の制御手段８０が洗浄時間を設定する際に用いられる表の一例を示す図である。
【図７】本発明の実施の形態３に係る加湿装置１００の断面図である。
【図８】本発明の実施の形態３に係る加湿装置１００の停止時の制御例を説明するフローチャート（加湿停止シーケンス）である。
【図９】本発明の実施の形態３に係る加湿装置１００の制御手段８０が乾燥時間及び自動洗浄待ち時間を設定する際に用いられる表の一例を示す図である。
【図１０】本発明の実施の形態４に係る加湿装置１００の断面図である。
【図１１】本発明の実施の形態４に係る加湿装置１００の運転時の制御例を説明するフローチャート（加湿運転シーケンス）である。
【図１２】本発明の実施の形態４に係る加湿装置１００の停止時の制御例を説明するフローチャート（加湿停止シーケンス）である。
【図１３】本発明の実施の形態５に係る加湿装置１００の断面図である。
【発明を実施するための形態】
【００１５】
以下、本発明の加湿装置１００の一実施例を図面に基づいて説明する。
【００１６】
実施の形態１．
図１は本発明の実施の形態１に係る加湿装置１００の断面図である。図１に示されるように、加湿装置１００は、本体１と、加湿エレメント２と、給水手段２１と、給水槽３１と、排水槽４１と、排水手段５１と、操作手段７０と、制御手段８０と、を備える。なお、加湿装置１００が、排水手段５１及び操作手段７０を備える例について説明したが、排水手段５１及び操作手段７０は必須の構成ではない。
【００１７】
本体１は、加湿装置１００の外郭を形成する部材である。本体１には、吸込口１ａ、吹出口１ｂ、給水接続口１ｃ、及び排水接続口１ｄが設けられている。吸込口１ａ及び吹出口１ｂが設けられることで、ダクト搬送できるように風路３が形成される。加湿エレメント２及び送風手段５は、本体１の内部であって風路３上に位置している。加湿エレメント２は、送風手段５よりも風路３の上流側に位置している。送風手段５は、例えばシロッコファンで構成される。
【００１８】
給水手段２１は、給水槽３１に給水するためのものであり、給水配管２２と、給水弁２３と、を備え、本体１の内部に設けられている。給水配管２２は、一端が本体１に設けられた給水接続口１ｃに位置し、他端（給水口２２ａ）が給水槽３１の上方に位置している。給水弁２３は、給水接続口１ｃから給水配管２２に供給された水を給水口２２ａ側に導くように開放又は閉塞するものである。
【００１９】
給水槽３１は、給水手段２１から供給された水を溜める部材である。給水槽３１は、加湿供給水３２を溜めることができるように、底面の周囲から上方に立ち上がった周壁を有する部材である。給水槽３１の底面には例えば複数の孔（図示省略）が形成されており、給水手段２１により供給された加湿供給水３２を加湿エレメント２に分散させている。なお、給水槽３１より加湿エレメント２へ加湿供給水３２を分散させる手段は他のどのようなものでもよい。
【００２０】
排水槽４１は、加湿エレメント２の下方に設けられ、加湿エレメント２で気化されなかった加湿供給水３２の残水４２を溜める部材である。排水槽４１は、残水４２を溜めることができるように、底面の周囲から上方に立ち上がった周壁を有する部材である。排水槽４１は、排水槽４１に溜まった水を排水手段５１によって、排出できるような手段（例えば、底面が傾斜した構造を有する等）を持つことが望ましい。
【００２１】
排水手段５１は、排水槽４１に溜まった残水４２を本体１の外部に排出するためのものであり、排水配管５２を備え、本体１の内部に設けられている。排水配管５２は、一端が排水接続口１ｄに位置し、他端（排水口５２ａ）が排水槽４１の下方に位置している。排水口５２ａは、排水槽４１の底面の最も低い位置に形成されている。
【００２２】
操作手段７０は、例えば、加湿装置１００の運転開始を要求するボタン及び加湿装置１００の運転停止を要求するボタンを有するリモートコントローラである。なお、操作手段７０は、図示したようなリモートコントローラでなく、本体１に設けられていてもよい。また、加湿装置１００の運転開始を要求するボタン及び加湿装置１００の運転停止を要求するボタンは、１つのボタンで共用されてもよい。
【００２３】
制御手段８０は、操作手段７０で操作された情報に基づいて、送風手段５及び給水弁２３を制御する。制御手段８０は、例えば、この機能を実現する回路デバイスなどのハードウェア、又はマイコン若しくはＣＰＵなどの演算装置上で実行されるソフトウェアで構成される。また、制御手段８０は、例えばタイマーなどの計時手段が計時した情報に基づいて各種運転状態を変更する。
【００２４】
なお、送風手段５は、加湿エレメント２の上流側でなく下流側に位置されていてもよい。また、送風手段５は、本体１の機外に設けられ、ダクト接続で本体１の上流側又は下流側に設けられていてもよい。
【００２５】
ここで、制御手段８０が給水弁２３を開放した場合における水の流れについて説明する。給水接続口１ｃから給水配管２２に供給された水は、給水配管２２の内部を流れ、給水口２２ａを通って給水槽３１に供給される。給水槽３１に供給された加湿供給水３２は、給水槽３１の底面に形成された孔を通って、加湿エレメント２に供給される。加湿エレメント２に供給された加湿供給水３２のうち蒸発しなかった水は、残水４２となって排水槽４１に排出される。排水槽４１に供給された残水４２は、排水口５２ａを通って排水配管５２の内部を流れ、排水接続口１ｄを通って、本体１の外部に排出される。
【００２６】
図２は、本発明の実施の形態１に係る加湿装置１００の運転時の制御例を説明するフローチャート（加湿運転シーケンス）である。図２を用いて、加湿装置１００の運転を開始する要求があった後に行われるステップＳ２１〜ステップＳ２５の処理について説明する。なお、加湿装置１００の運転は、操作手段７０に設けられた加湿装置１００の運転開始を要求するボタン（図示省略）又は操作手段７０に設けられたスケジュール機能（図示省略）を選択することで実行される。
【００２７】
ステップＳ２１において、制御手段８０は、送風手段５を停止させ給水弁２３を開放し、ステップＳ２２に移行する。なお、ステップＳ２１の処理が行われることで、水道水は給水配管２２の内部を通り給水口２２ａを通って給水槽３１に供給される。そして、給水槽３１内に供給された加湿供給水３２は、給水槽３１の底面の孔を通って加湿エレメント２に供給される。
【００２８】
ステップＳ２２において、制御手段８０は、操作手段７０により加湿装置１００の停止を要求する操作がされたか否かを判定する。ステップＳ２２において、制御手段８０は、操作手段７０により加湿装置１００の停止を要求する操作がされた場合には（ステップＳ２２でＹＥＳ）、加湿運転シーケンスを終了し、後述する加湿停止シーケンスに基づく処理を行う。一方、ステップＳ２２において、制御手段８０は、操作手段７０により加湿装置１００の停止を要求する操作がされなかった場合には（ステップＳ２２でＮＯ）、ステップＳ２３に進む。
【００２９】
ステップＳ２３において、制御手段８０は、給水弁２３を開放してから一定時間経過したか否かを判定する。ステップＳ２３において、制御手段８０は、給水弁２３を開放してから一定時間が経過したと判定した場合には（ステップＳ２３でＹＥＳ）、ステップＳ２４に進む。一方、ステップＳ２３において、制御手段８０は、給水弁２３を開放してから一定時間が経過していなかったと判定した場合には（ステップＳ２３でＮＯ）、ステップＳ２２に戻る。
【００３０】
ステップＳ２３における一定時間は例えば１０分であるが、具体的な時間はこれに限定されるものではなく、加湿エレメント２全体を水で湿潤させるのに十分な時間を適宜決定することができる。なお、この時間は、制御手段８０が加湿装置１００の運転を開始する前に適切な時間を算出しておくことが望ましい。
【００３１】
ステップＳ２４において、制御手段８０は、送風手段５を回転させ給水弁２３を開放し、ステップＳ２５に移行する。ステップＳ２４の処理が行われることで、空気は、吸込口１ａから本体１の内部に導入され、加湿エレメント２を通過し、吹出口１ｂを通過して本体１の外部に排出される。これにより、室内への送風が開始される。空気が加湿エレメント２を通過することで、加湿エレメント２上の水は気化蒸発し、高湿度に加湿された空気を供給することができる。
【００３２】
ステップＳ２５において、制御手段８０は、操作手段７０により加湿装置１００の停止を要求する操作がされたか否かを判定する。ステップＳ２５において、制御手段８０は、操作手段７０により加湿装置１００の停止を要求する操作がされた場合には（ステップＳ２５でＹＥＳ）、加湿運転シーケンスを終了し、後述する加湿停止シーケンスに基づく処理を行う。一方、ステップＳ２５において、制御手段８０は、操作手段７０により加湿装置１００の停止を要求する操作がされなかった場合には（ステップＳ２５でＮＯ）、ステップＳ２５の処理を再度行い、操作手段７０により加湿装置１００の停止を要求する操作がされたか否かの監視を継続する。
【００３３】
図３は、本発明の実施の形態１に係る加湿装置１００の停止時の制御例を説明するフローチャート（加湿停止シーケンス）である。図３を用いて、加湿装置１００を停止する要求があった後に行われるステップＳ３１〜Ｓ３９の処理について説明する。なお、加湿装置１００の停止は、操作手段７０に設けられた加湿装置１００の運転停止を要求するボタン（図示省略）あるいは操作手段７０に設けられたスケジュール機能を選択することで実行される。
【００３４】
ステップＳ３１において、制御手段８０は、送風手段５を停止させ給水弁２３を開放し、ステップＳ３２に移行する。これにより、加湿エレメント２を洗浄する洗浄モードが開始される。なお、洗浄モードとは、制御手段８０が、送風手段５を停止させ給水弁２３を開放する制御を指す。
【００３５】
ステップＳ３２において、制御手段８０は、操作手段７０により加湿装置１００の運転開始を要求する操作がされたか否かを判定する。ステップＳ３２において、制御手段８０は、操作手段７０により加湿装置１００の運転開始を要求する操作がされた場合には（ステップＳ３２でＹＥＳ）、加湿停止シーケンスを終了し、上述した加湿運転シーケンスに基づく動作を行う。一方、ステップＳ３２において、制御手段８０は、操作手段７０により加湿装置１００の運転開始を要求する操作がされなかった場合には（ステップＳ３２でＮＯ）、ステップＳ３３に進む。
【００３６】
ステップＳ３３において、制御手段８０は、洗浄モードを開始してから一定時間経過したか否かを判定する。ステップＳ３３において、制御手段８０は、洗浄モードを開始してから一定時間経過したと判定した場合には（ステップＳ３３でＹＥＳ）、ステップＳ３４に進む。一方、ステップＳ３３において、制御手段８０は、洗浄モードを開始してから一定時間経過してないと判定した場合には（ステップＳ３３でＮＯ）、ステップＳ３２に戻る。
【００３７】
なお、ステップＳ３３における一定時間は例えば１０分であるが、具体的な時間はこれに限定されるものではなく、加湿エレメント２の最大保水量分の水を入れ替えるのに十分な時間を適宜決定することができる。なお、この時間は、制御手段８０が加湿装置１００の運転を開始する前に適切な時間を算出しておくことが望ましい。
【００３８】
ステップＳ３４において、制御手段８０は、送風手段５を回転させ給水弁２３を閉塞させ、ステップＳ３５に移行する。これにより、洗浄モードを終了して乾燥モードが開始される。なお、乾燥モードとは、制御手段８０が、送風手段５を回転させ給水弁２３を閉塞させる制御を指す。
【００３９】
ステップＳ３５において、制御手段８０は、操作手段７０により加湿装置１００の運転開始を要求する操作がされたか否かを判定する。ステップＳ３５において、制御手段８０は、操作手段７０により加湿装置１００の運転開始を要求する操作がされた場合には（ステップＳ３５でＹＥＳ）、加湿停止シーケンスを終了し、上述した加湿運転シーケンスに基づき動作する。一方、ステップＳ３５において、制御手段８０は、操作手段７０により加湿装置１００の運転開始を要求する操作がされなかった場合には（ステップＳ３５でＮＯ）、ステップＳ３６に進む。
【００４０】
ステップＳ３６において、制御手段８０は、乾燥モードを開始してから一定時間経過したか否かを判定する。ステップＳ３６において、制御手段８０は、乾燥モードを開始してから一定時間が経過したと判定した場合には（ステップＳ３６でＹＥＳ）、ステップＳ３７に移行し、送風手段５を停止させることで、乾燥モードを終了する。一方、ステップＳ３６において、制御手段８０は、乾燥モードを開始してから一定時間が経過していないと判定した場合には（ステップＳ３６でＮＯ）、ステップＳ３５に戻る。
【００４１】
なお、ステップＳ３６における一定時間は例えば３時間であるが、具体的な時間はこれに限定されるものではなく、加湿エレメント２の乾燥を終了するために十分な時間を適宜決定することができる。
【００４２】
ステップＳ３８において、制御手段８０は、操作手段７０により加湿装置１００の運転開始を要求する操作がされたか否かを判定する。ステップＳ３８において、制御手段８０は、操作手段７０により加湿装置１００の運転開始を要求する操作がされた場合には（ステップＳ３８でＹＥＳ）、加湿停止シーケンスを終了し、上述した加湿運転シーケンスに基づき動作する。一方、ステップＳ３８において、制御手段８０は、操作手段７０により加湿装置１００の運転開始を要求する操作がされなかった場合には（ステップＳ３８でＮＯ）、ステップＳ３９に移行する。
【００４３】
ステップＳ３９において、制御手段８０は、乾燥モードを終了（ステップＳ３６でＹＥＳ）してから一定時間経過したか否かを判定する。ステップＳ３９において、制御手段８０は、一定時間が経過したと判定した場合には（ステップＳ３９でＹＥＳ）、ステップＳ３１に戻る。一方、ステップＳ３９において、制御手段８０は、一定時間が経過していないと判定した場合には（ステップＳ３９でＮＯ）、ステップＳ３８に戻る。
【００４４】
なお、ステップＳ３９における一定時間は例えば１００時間であるが、具体的な時間はこれに限定されるものではなく、洗浄モードを行うのに十分な時間を適宜決定することができる。
【００４５】
以上のように、本実施の形態１に係る加湿装置１００は、給水弁２３を開放し送風手段５を回転させる加湿モードを行い、加湿モードの終了後に、給水弁２３を開放し送風手段５を停止させる洗浄モードを行い、洗浄モードの終了後に、給水弁２３を閉塞し送風手段５を回転させる乾燥モードを行う。
このため、加湿モード中に加湿エレメント２上のカルキ成分が高濃度になっていた場合でも、洗浄モードにより加湿エレメント２上のカルキ成分を洗い流し、カルキ成分濃度を予め低くした上で、乾燥モードを実施しているので、カルキ成分（いわゆる白粉）の析出を抑制できる。
また、使用者が予め設定した時刻よりも前に加湿装置１００の運転が停止された場合でも、乾燥モードを実行することができる。したがって、使用者が操作手段７０を操作するタイミング等によらず、カビや雑菌の繁殖を抑制するとともに、水道水に含まれるスケール成分が加湿エレメント２に析出することを抑制することができる。
【００４６】
また、制御手段８０は、乾燥モードの終了後に所定時間経過することで洗浄モードを行うようにしている。このため、加湿装置１００が長期不使用の状態であっても定期的に加湿エレメント２の洗浄モードと乾燥モードとを繰り返せるようにした。なお、洗浄モードと乾燥モードは少なくとも１回実施していれば、カルキ成分（いわゆる白粉）の析出を抑制できる効果があるため、洗浄モードと乾燥モードを定期的に実施しなくともよい。
【００４７】
また、制御手段８０は、送風手段５を停止させた状態で加湿エレメント２全体を湿潤させ、その後、送風手段５を回転させる加湿モードを開始する。このため、加湿効果の低い、加湿エレメント２全体が湿潤する前においては送風手段５を停止させているため、消費電力を抑制できる。
【００４８】
また、加湿モード時及び洗浄モード時には、新鮮な水が加湿エレメント２に常に供給されるようにしたため、カビや菌が加湿エレメント２上で発生することを抑制できる。
【００４９】
また、加湿エレメント２で気化されなかった残水４２が、加湿エレメント２に循環しないようにしている。このため、残水４２を機内に留めないことで、カビや菌の繁殖を抑制できる。また、残水４２を再利用しないことで、加湿供給水３２のカルキ成分が濃縮されることを抑制できる。
【００５０】
なお、給水手段２１の給水能力は、加湿モードを実行時の蒸発水量の３倍程度の水量を給水し得るものとする。また、給水槽３１の容積、給水槽３１の底面に形成される孔の密度等は、加湿供給水３２がオーバーフローしないよう設計されているものとする。
【００５１】
また仮に、例えば、給水槽３１の底面が目詰まりする等の不具合が生じて、加湿供給水３２が給水槽３１の内部でオーバーフローした場合には、排水槽４１でオーバーフローした加湿供給水３２を受容する構造とすればよい。このように構成すれば、加湿装置１００の外部への漏水を抑制することができる。
【００５２】
また、制御手段８０は、加湿装置１００を停止している期間（夜間や休日等）を利用した自動洗浄においても、洗浄モードにより加湿エレメント２上のカルキ成分を洗い流し、カルキ成分の濃度を予め低くした後に、乾燥モードを実施しているので、カルキ成分（いわゆる白粉）が析出する問題を防止できる。
【００５３】
また、特許文献１に記載の空気調和装置は、使用者が加湿装置を停止した際、即乾燥モードを実施していたため、停止指令を与えたにも拘わらず送風機の運転が継続し、使用者に加湿装置が故障しているような違和感を与えるという課題もあったが、本実施の形態１に係る制御手段８０は、送風手段５を回転させる加湿モードを停止させた後に、送風手段５を回転させない洗浄モードを開始させる。このため、使用者は、送風手段５の音の変化を聞くことで、送風手段５が一旦停止されたことを認識でき、操作手段７０による加湿装置１００を停止する操作が加湿装置１００に反映されたことを認識することができる。したがって、使用者が違和感を感じることがなくなる。
【００５４】
また、特許文献２に記載の空気調和装置は、加湿エレメントにおいてカビや細菌が繁殖しなくなるまで乾燥させるには、非常に多くの時間を要する（数十分〜数時間程度）ため、使用者が設定した時刻よりもかなり前に室内の湿度が低下し始め、加湿装置の運転期間中に加湿不足の状態に陥り、加湿装置本来の機能が満たされず、使用者に不快感を与えているという課題もあったが、本実施の形態１に係る制御手段８０は、加湿装置１００の停止後に乾燥モードを開始させる。このため、加湿装置１００の運転中に加湿不足となり使用者に不快感を与えることもなくなる。
【００５５】
実施の形態２．
本実施の形態２は、実施の形態１とは異なり、制御手段８０が、加湿モード時間を計測するための加湿運転タイマー（図示省略）を有し、加湿運転タイマーのカウント値に基づいて、洗浄モードの実施時間を変更する。なお、以降の説明において、洗浄モードの実施時間を洗浄時間と称することがある。
【００５６】
なお、本実施の形態２において、特に記述しない項目については実施の形態１と同様とし、同一の機能や構成については同一の符号を用いて述べることとする。また、本実施の形態２において、実施の形態１と同一の機能や構成についての説明は省略する。
【００５７】
図４は、本発明の実施の形態２に係る加湿装置１００の運転時の制御例を説明するフローチャート（加湿運転シーケンス）である。図４を用いて、加湿装置１００の運転を開始する要求があった後に行われるステップＳ４１の処理について説明する。なお、本実施の形態２において、実施の形態１で説明した処理と同一の処理については適宜説明を省略するものとする。
【００５８】
ステップＳ２１〜ステップＳ２３は、実施の形態１のステップＳ２１〜ステップＳ２３と同一の処理であるため、説明を省略する。ステップＳ２３でＹＥＳの場合にステップＳ４１に移行する。ステップＳ４１において、制御手段８０は、加湿運転タイマーのカウントを開始し、ステップＳ２４に移行する。ステップＳ２４，ステップＳ２５は、実施の形態１のステップＳ２４，ステップＳ２５と同一の処理であるため、説明を省略する。ステップＳ２５でＹＥＳの場合に加湿運転シーケンスを終了して、加湿停止シーケンスに移行する。
【００５９】
図５は、本発明の実施の形態２に係る加湿装置１００の停止時の制御例を説明するフローチャート（加湿停止シーケンス）である。図５を用いて、加湿装置１００の運転を開始する要求があった後に行われるステップＳ５１〜ステップＳ５４の処理について説明する。なお、本実施の形態２において、実施の形態１で説明した処理と同一の処理については適宜説明を省略するものとする。
【００６０】
ステップＳ５１において、制御手段８０は、加湿モードの時間を計測するための加湿運転タイマーを停止し、ステップＳ３１に移行する。ステップＳ３１における処理は、実施の形態１のステップＳ３１と同一の処理であるため、説明を省略する。ステップＳ３１の処理の後、ステップＳ５２に移行する。
【００６１】
ステップＳ５２において、制御手段８０は、加湿運転タイマーのカウント値に基づいて洗浄時間を決定し、ステップＳ３２に移行する。具体的には、ステップＳ５２において、制御手段８０は、図６の表に基づいて洗浄時間を決定する。図６の表の詳細については後述する。ステップＳ３２における処理は、実施の形態１のステップＳ３２と同一の処理であるため、説明を省略する。制御手段８０は、ステップＳ３２でＮＯである場合には、ステップＳ５３に移行する。
【００６２】
ステップＳ５３において、制御手段８０は、洗浄モードを開始してから洗浄時間が経過したか否かを判定する。ステップＳ５３において、制御手段８０は、洗浄モードを開始してから洗浄時間が経過したと判定した場合には（ステップＳ５３でＹＥＳ）、ステップＳ５４に進む。一方、ステップＳ５３において、制御手段８０は、洗浄モードを開始してから洗浄時間が経過していないと判定した場合には（ステップＳ５３でＮＯ）、ステップＳ３２に戻る。
【００６３】
ステップＳ５４において、制御手段８０は、加湿運転タイマーのカウント値を０に設定し、ステップＳ３４に移行する。ステップＳ３４〜ステップＳ３９は、実施の形態１のステップＳ３４〜ステップＳ３９と同一の処理であるため、説明を省略する。
【００６４】
図６は本発明の実施の形態２に係る加湿装置１００の制御手段８０が洗浄時間を設定する際に用いられる表の一例を示す図である。図６の表には、加湿運転タイマーのカウント値と、洗浄時間との関係が示されている。
【００６５】
具体的には、図６の表には、以下の（１）〜（３）のように、加湿運転タイマーのカウント値が１時間増加するたびに、洗浄時間を５分ずつ増やすことが示されている。
（１）加湿運転タイマー値が１時間以下の場合には、洗浄時間を５分とする。
（２）加湿運転タイマー値が１時間超から２時間以下の場合には、洗浄時間を１０分とする。
（３）加湿運転タイマー値が２時間超から３時間以下の場合には、洗浄時間を１５分とする。
【００６６】
本実施の形態２においては、加湿エレメント２の最大保水量分の水を入れ替えるために、加湿運転タイマーのカウント値が１時間以下の場合に洗浄モードを５分行うようにしている。そして、加湿モードの時間が長い程、洗浄モードを行う時間を長くし、水の入れ替え回数を増やしている。
【００６７】
制御手段８０は、加湿運転タイマーのカウント値に基づいて、上述の加湿停止時の洗浄モードの実施時間を決定する。なお、自動洗浄による次回の洗浄モード時は、加湿運転タイマーのカウント値は０となっているため、洗浄時間は図６の表に従い５分となる。
【００６８】
以上のように、本実施の形態２に係る加湿装置１００は、制御手段８０が、加湿運転タイマーのカウント値に基づいて、例えば加湿モードの時間が長い程洗浄モードを行う時間を長くする。
このため、加湿装置１００の停止時に加湿エレメント２上のカルキ成分濃度が高くなっているような場合でも、加湿エレメント２上のカルキ成分を洗い流すことができる。したがって、カルキ成分濃度を予め低くした状態で乾燥モードを行うことができ、カルキ成分（いわゆる白粉）の析出を抑制できる。
また、加湿モードの時間が短い場合には、加湿モードの時間が長い場合に比べて加湿洗浄の時間を必要最小限に抑えることができるため、節水に寄与することとなる。
【００６９】
実施の形態３．
本実施の形態３は、実施の形態１及び実施の形態２と異なり、風路３上で且つ加湿エレメント２の上流側に湿度センサ７１を設けている。また、本実施の形態３は、実施の形態１および実施の形態２と異なり、制御手段８０が、湿度センサ７１の検知値に基づいて、乾燥モードの実施時間、及び乾燥モードの終了後に繰り返す洗浄モードまでの待ち時間を決定する。なお、以降の説明において、乾燥モードの実施時間を乾燥時間と称することがある。また、以降の説明において、洗浄モードまでの待ち時間を自動洗浄待ち時間と称することがある。
【００７０】
なお、本実施の形態３において、特に記述しない項目については実施の形態１及び実施の形態２と同様とし、同一の機能や構成については同一の符号を用いて述べることとする。また、本実施の形態３において、実施の形態１及び実施の形態２と同一の機能や構成についての説明は省略する。
【００７１】
図７は本発明の実施の形態３に係る加湿装置１００の断面図である。図７に示されるように、風路３上であって加湿エレメント２の上流側に湿度センサ７１を設けている。
【００７２】
湿度センサ７１は、風路３上の湿度を検知するものであり、本体１の内部であって風路３上に設けられている。湿度センサ７１の検知値は制御手段８０に入力される。制御手段８０は、湿度センサ７１の検知値に基づいて、送風手段５及び給水弁２３を各々制御する。なお、湿度センサ７１は、本体１の内部ではなく本体１の外部に設けられ、ダクト接続により上流側に位置していてもよい。
【００７３】
図８は本発明の実施の形態３に係る加湿装置１００の停止時の制御例を説明するフローチャート（加湿停止シーケンス）である。図８を用いて、ステップＳ８１〜ステップＳ８５の処理について説明する。
【００７４】
なお、ステップＳ３１，ステップＳ３２における処理は、実施の形態１のステップＳ３１，ステップＳ３２と同一の処理であるため、説明を省略する。また、ステップＳ３３〜ステップＳ３５における処理は、実施の形態１のステップＳ３３〜ステップＳ３５と同一の処理であるため、説明を省略する。また、ステップＳ３７，ステップＳ３８における処理は、実施の形態１のステップＳ３７，ステップＳ３８と同一の処理であるため、説明を省略する。また、ステップＳ５１〜ステップＳ５４における処理は、実施の形態２のステップＳ５１〜ステップＳ５４と同一の処理であるため、説明を省略する。
【００７５】
ステップＳ３５において、制御手段８０が、操作手段７０により加湿装置１００の運転開始を要求する操作がされなかった場合には（ステップＳ３５でＮＯ）、ステップＳ８１に移行する。
【００７６】
ステップＳ８１において、制御手段８０は、乾燥モードを開始してから一定時間経過したか否かを判定する。ステップＳ８１において、制御手段８０は、乾燥モードを開始してから一定時間が経過したと判定した場合には（ステップＳ８１でＹＥＳ）、ステップＳ８２に移行する。一方、ステップＳ８１において、制御手段８０は、乾燥モードを開始してから一定時間が経過していないと判定した場合には（ステップＳ８１でＮＯ）、ステップＳ３５に戻る。
【００７７】
ステップＳ８２において、制御手段８０は、湿度センサ７１の検知値に基づいて乾燥時間を決定し、ステップＳ８３に移行する。具体的には制御手段８０は、図９に示される表に基づいて、乾燥時間を決定する。図９の表の詳細については後述する。
【００７８】
ステップＳ８３において、制御手段８０は、乾燥モードを開始してからステップＳ８２で設定した乾燥時間が経過したか否かを判定する。ステップＳ８３において、制御手段８０は、乾燥モードを開始してからステップＳ８２で設定した乾燥時間が経過したと判定した場合には（ステップＳ８３でＹＥＳ）、ステップＳ８４に移行する。一方、ステップＳ８３において、制御手段８０は、乾燥モードを開始してからステップＳ８２で設定した乾燥時間が経過していないと判定した場合には（ステップＳ８３でＮＯ）、ステップＳ３５に戻る。
【００７９】
ステップＳ８４において、制御手段８０は、湿度センサ７１の検知値に基づいて、自動洗浄待ち時間を決定する。具体的には、制御手段８０は、図９に示される表を参照して自動洗浄待ち時間を決定する。
【００８０】
図９は本発明の実施の形態３に係る加湿装置１００の制御手段８０が乾燥時間及び自動洗浄待ち時間を設定する際に用いられる表の一例を示す図である。図９に示されるように、湿度センサ７１の検知値、乾燥時間、及び自動洗浄待ち時間の対応関係を示している。
【００８１】
まず、湿度センサ７１の検知値と乾燥時間との対応関係は、例えば、以下の（１）〜（５）に示されるようになっている。
（１）湿度センサ７１の検知値が２０％以下の場合は、乾燥時間は１．０時間とする。
（２）湿度センサ７１の検知値が２０％超から４０％以下の場合は、乾燥時間を１．５時間とする。
（３）湿度センサ７１の検知値が４０％超から６０％以下の場合は、乾燥時間を２．０時間とする。
（４）湿度センサ７１の検知値が６０％超から８０％以下の場合は、乾燥時間を３．０時間とする。
（５）湿度センサ７１の検知値が８０％超の場合は、乾燥時間を４．０時間とする。
【００８２】
ステップＳ８２において、制御手段８０は、湿度センサ７１の検知値が小さい場合には、乾燥効果が高いため乾燥時間を短くする。一方、ステップＳ８２において、制御手段８０は、湿度センサ７１の検知値が大きい場合には、乾燥効果が低いため乾燥時間を長くする。
【００８３】
なお、ステップＳ８２においては、加湿停止シーケンスにおいて、制御手段８０が、既に乾燥時間を設定済みであれば、ステップＳ８２を行わないでステップＳ８３に移行してもよい。また、制御手段８０は、例えば３０分単位で、乾燥時間を再設定するようにしてもよい。
【００８４】
次に、湿度センサ７１の検知値と自動洗浄待ち時間との対応関係は、例えば、以下の（１）〜（５）に示されるようになっている。
（１）湿度センサ７１の検知値が２０％以下の場合には、自動洗浄待ち時間を３００時間とする。
（２）湿度センサ７１の検知値が２０％超から４０％以下の場合には、自動洗浄待ち時間を２００時間とする。
（３）湿度センサ７１の検知値が４０％超から６０％以下の場合には、自動洗浄待ち時間を１００時間とする。
（４）湿度センサ７１の検知値が６０％超から８０％以下の場合には、自動洗浄待ち時間を５０時間とする。
（５）湿度センサ７１の検知値が８０％超の場合には、自動洗浄待ち時間を２５時間とする。
【００８５】
ステップＳ８４において、制御手段８０は、湿度センサ７１の検知値が小さい場合には、カビや雑菌等が繁殖する環境にないため、次回の自動洗浄までの待ち時間をより長くする。また、ステップＳ８４において、制御手段８０は、湿度センサ７１の検知値が大きい場合には、カビや雑菌等が繁殖する環境となるため、制御手段８０は、次回の自動洗浄までの待ち時間をより短くする。
【００８６】
なお、ステップＳ８４においては、加湿停止シーケンスで既に自動洗浄待ち時間が設定済みであれば、ステップＳ８４を行わないでステップＳ３７に移行してもよい。また、制御手段８０は、例えば３０分単位で、自動洗浄待ち時間を再設定するようにしてもよい。
【００８７】
ステップＳ８５において、制御手段８０は、乾燥モードを終了（ステップＳ８３でＹＥＳ）してからステップＳ８４で設定した自動洗浄待ち時間が経過したか否かを判定する。ステップＳ８５において、制御手段８０は、自動洗浄待ち時間が経過したと判定した場合には（ステップＳ８５においてＹＥＳ）、ステップＳ３１の洗浄動作に戻る。一方、ステップＳ８５において、制御手段８０は、自動洗浄待ち時間が経過していないと判定した場合は（ステップＳ８５においてＮＯ）、ステップＳ３８に戻る。これにより、加湿モードを長期使用しない場合であっても、定期的に加湿エレメント２の洗浄モードと乾燥モードを繰り返することができる。
【００８８】
以上のように、本実施の形態３に係る加湿装置１００は、風路３の加湿エレメント２よりも上流側に湿度センサ７１を設け、制御手段８０は、湿度センサ７１の検知値に基づいて乾燥時間および自動洗浄待ち時間を決定する。
このため、制御手段８０は、湿度センサ７１の検知値が小さい場合には、乾燥モードにおいて乾燥効果が高くなること、またカビや雑菌が繁殖しにくい環境になることを考慮し、乾燥時間をより短くし自動洗浄待ち時間をより長く設定する。したがって、加湿エレメント２が十分に乾燥され、カビや雑菌の増殖を抑制できる。また、乾燥モードを実施する時間を極力抑えられ、消費電力を削減することができる。
また、制御手段８０は、湿度センサ７１の検知値が大きい場合には、乾燥モードにおいて乾燥効果が低くなること、またカビや雑菌が繁殖しやすい環境になることを考慮し、乾燥時間をより長く設定する。したがって、カビや雑菌の増殖を抑制できる。
【００８９】
なお、ステップＳ８２は、ステップＳ８１において、制御手段８０が乾燥モードを所定時間以上行った場合に行われるようにしている。このため、制御手段８０は、湿度センサ７１の検知値が安定した状態で、ステップＳ８２の処理を行うことができる。
すなわち、乾燥モードを実行して直ちにステップＳ８２の処理を行った場合に比べて、より適した状態でステップＳ８３の処理が行われることとなる。ただし、ステップＳ８１において用いられる所定時間は、加湿装置１００の設置環境等に依存して調整されていてもよい。
【００９０】
また、仮に乾燥モードにおいて乾燥が不十分である場合であっても、自動洗浄待ち時間をより短く設定しているため、カビや雑菌が繁殖する前に、次回の自動洗浄運転および乾燥モードを実施することが可能となる。したがって、カビや雑菌が加湿エレメント２上で繁殖することを抑制できる。
【００９１】
また、本実施の形態３に係る加湿装置１００は、制御手段８０が、湿度センサ７１の検知値に基づいて、乾燥時間及び自動洗浄待ち時間を決定する例について説明したが、これに限定されない。例えば、制御手段８０が、湿度センサ７１の検知値に基づいて、乾燥時間及び自動洗浄待ち時間の何れか一方を決定してもよい。このようにしても、消費電力を削減し、カビや雑菌の繁殖を抑制することができる。
【００９２】
なお、本実施の形態３で示したような、加湿エレメント２よりも上流側の空気が高湿となる場合としては、吸込口１ａに接続されるダクトが室外へ連通している場合、すなわち、換気装置の給気風路に加湿装置１００を組み込んだ場合に、本実施の形態３で示した制御は好適である。
【００９３】
実施の形態４．
本実施の形態４は、実施の形態１〜実施の形態３とは異なり、給水弁２３を給水流量調整弁１０１に置換し、制御手段８０が加湿装置１００の運転状態に応じて給水量を変更するようにしている。
【００９４】
なお、本実施の形態４において、特に記述しない項目については実施の形態１〜実施の形態３と同様とし、同一の機能や構成については同一の符号を用いて述べることとする。また、本実施の形態４においては、実施の形態１〜実施の形態３と同一の機能や構成についての説明は省略する。
【００９５】
図１０は本発明の実施の形態４に係る加湿装置１００の断面図である。図１０に示されるように、給水手段２１は給水流量調整弁１０１を有する。制御手段８０は、加湿装置１００の運転状態に基づいて、送風手段５及び給水流量調整弁１０１を各々制御する。
【００９６】
図１１は、本発明の実施の形態４に係る加湿装置１００の運転時の制御例を説明するフローチャート（加湿運転シーケンス）である。図１１を用いて、ステップＳ１１１〜ステップＳ１１３の処理について説明する。
【００９７】
ステップＳ１１１において、制御手段８０は、送風手段５を停止し給水流量調整弁１０１を全開にし、ステップＳ２２に移行する。制御手段８０が、送風手段５を停止し給水流量調整弁１０１を全開にすることで、水道水は給水口２２ａから給水槽３１に給水される。
【００９８】
なお、ステップＳ２２における処理は、実施の形態１のステップＳ２２と同一の処理であるため、説明を省略する。ステップＳ２２において、制御手段８０は、操作手段７０により加湿装置１００の停止を要求する操作がされなかった場合には（ステップＳ２２でＮＯ）、ステップＳ１１２に移行する。
【００９９】
ステップＳ１１２において、制御手段８０は、給水流量調整弁１０１を全開にしてから一定時間経過したかを判定する。ステップＳ１１２において、制御手段８０は、給水流量調整弁１０１を全開にしてから一定時間が経過したと判定した場合には（ステップＳ１１２でＹＥＳ）、ステップＳ１１３に移行する。一方、ステップＳ１１２において、制御手段８０は、給水流量調整弁１０１を全開にしてから一定時間が経過していないと判定した場合には（ステップＳ１１２でＮＯ）、ステップＳ２２に戻る。
【０１００】
なお、ステップＳ１１２における一定時間は例えば１分であるが、具体的な時間はこれに限定されるものではなく、加湿エレメント２全体を水で湿潤させるのに十分な時間を適宜決定することができる。なお、この時間は、制御手段８０が加湿装置１００の運転を開始する前に適切な時間を算出しておくことが望ましい。
【０１０１】
ステップＳ１１３において、制御手段８０は、給水量が蒸発量の３倍程度になるように給水流量調整弁１０１を絞り、送風手段５を回転させ、ステップＳ２５に移行する。これにより、空気が吸込口１ａから吸い込まれ風路３内にある加湿エレメント２を通過し吹出口１ｂへ流れ、室内へ送風を開始する。
【０１０２】
なお、ステップＳ１１１において、給水流量調整弁１０１を全開にしてから、ステップＳ１１３において送風手段５を回転させるまでの一定時間は、加湿エレメント２全体を水で湿潤させるのに必要な時間である。なお、この時間は、制御手段８０が加湿装置１００の運転を開始する前に適切な時間を算出しておくことが望ましい。
【０１０３】
図１２は、本発明の実施の形態４に係る加湿装置１００の停止時の制御例を説明するフローチャート（加湿停止シーケンス）である。図１２を用いて、ステップＳ１２１及びステップＳ１２２の処理について説明する。
【０１０４】
ステップＳ１２１において、制御手段８０は、給水量が加湿モード時の蒸発量の半分程度になるように給水流量調整弁１０１を調整し送風手段５を停止することで、ステップＳ３２に移行する。なお、ステップＳ３２における処理は、実施の形態１のステップＳ３２と同一の処理であるため、説明を省略する。ステップＳ３２において、制御手段８０は、操作手段７０により加湿装置１００の運転開始を要求する操作がされなかった場合には（ステップＳ３２でＮＯ）、ステップＳ１２２に移行する。
【０１０５】
ステップＳ１２２において、制御手段８０は、洗浄モードを開始してから一定時間経過したかを判定する。ステップＳ１２２において、制御手段８０は、洗浄モードを開始してから一定時間経過したと判定した場合には（ステップＳ１２２でＹＥＳ）、ステップＳ３４に移行する。一方、ステップＳ１２２において、制御手段８０は、洗浄モードを開始してから一定時間経過していないと判定した場合は（ステップＳ１２２でＮＯ）、ステップＳ３２に戻る。
【０１０６】
なお、ステップＳ１２２における一定時間は例えば３０分であるが、具体的な時間はこれに限定されるものではなく、加湿エレメント２の最大保水量分の水を入れ替えるのに十分な時間を適宜決定することができる。なお、この時間は、制御手段８０が加湿装置１００の運転を開始する前に適切な時間を算出しておくことが望ましい。本実施の形態４においては、蒸発量の半分程度の給水量で、加湿エレメント２の最大保水量分の水を入れ替えるのに必要な時間は、制御手段８０が加湿装置１００の運転を開始する前に適切な時間を算出しておくことが望ましい。
【０１０７】
ステップＳ３４〜ステップＳ３９における処理は、実施の形態１のステップＳ３４〜ステップＳ３９と同一の処理であるため、説明を省略する。
【０１０８】
以上のように、本実施の形態４に係る加湿装置１００は、洗浄モード時に、給水流量調整弁１０１を給水量が加湿モード時の蒸発量の半分程度になるよう絞ったため、加湿エレメント２の最大保水量分の水を入れ替えるまでの時間をより長くすることができる。
すなわち、使用者が、加湿装置１００を停止するように操作手段７０を操作してから、乾燥モードにより送風手段５が作動するまでの時間を長時間確保することができる。
このため、使用者は送風手段５の停止期間中（つまり洗浄モード期間中）に、十分居室から退室可能となり、加湿装置１００の停止時に乾燥モードにより送風手段５が回転することへの違和感を覚えずにすむ。
【０１０９】
また、ステップＳ１１１において、制御手段８０が、給水流量調整弁１０１を全開にしている。このため、加湿エレメント２が湿潤するまでの時間は、給水流量調整弁１０１を全開にしない場合に比べて早くなる。したがって、使用者が加湿装置１００の運転を行うように操作手段７０を操作してから迅速に加湿空気を供給することができる。
【０１１０】
また、ステップＳ１１３において、制御手段８０が、給水流量調整弁１０１を全開から絞る。このため、無駄に水の消費を抑制できる。
【０１１１】
なお、ステップＳ１１３における、蒸発量の３倍程度の給水量は固定値を想定しているが、制御手段８０は、給水流量調整弁１０１を制御することで、給水量を調整できるため、送風手段５による風量や加湿エレメント上流における空気の温湿度等に応じて、「蒸発量の３倍程度の給水量」を給水流量調整弁１０１によって変更するようにしてもよい。
【０１１２】
実施の形態５．
本実施の形態５は、給水手段２１が供給する加湿供給水３２が、実施の形態１〜実施の形態４のように、本体１の外側から給水接続口１ｃを通して供給されるのではなく、本体１の内側に設置される着脱可能な給水タンク１３１から供給されるようにしている。
【０１１３】
また、本実施の形態５では、排水手段５１が排出する残水４２が、実施の形態１〜実施の形態４のように、本体１の外側へ排水接続口１ｄを通して排出されるのではなく、本体１の内側に設置される着脱可能な排水タンク１３２に排出されるようにしている。
【０１１４】
なお、本実施の形態５において、特に記述しない項目については実施の形態１〜実施の形態４と同様とし、同一の機能や構成については同一の符号を用いて述べることとする。また、本実施の形態５において、実施の形態１〜実施の形態４と同一の機能や構成についての説明は省略する。
【０１１５】
図１３は本発明の実施の形態５に係る加湿装置１００の断面図である。図１３に示されるように、加湿装置１００は、給水タンク１３１及び排水タンク１３２を有する。給水タンク１３１は、本体１内に設けられ、給水手段２１を構成するタンクである。排水タンク１３２は、本体１内に設けられ、排水手段５１を構成するタンクである。
【０１１６】
給水配管２２は、一端が給水タンク１３１に接続され、他端（給水口２２ａ）が給水槽３１の上方に位置している。給水弁２３は、給水タンク１３１から給水配管２２に供給された水を給水口２２ａ側に導き、あるいは閉塞するものである。排水配管５２は、一端が排水タンク１３２に接続され、他端（排水口５２ａ）が排水槽４１の下方に位置している。
【０１１７】
本実施の形態５に係る加湿装置１００は、給水タンク１３１及び排水タンク１３２を有し、給水手段２１が供給する加湿供給水３２が、本体１の内側に設置される着脱可能な給水タンク１３１から供給され、さらに排水手段５１が排出する残水４２が、本体１の内側に設置される着脱可能な排水タンク１３２に排出される。このため、本実施の形態５のような可搬形の加湿装置１００についても、実施の形態１と同様の効果を得ることができる。
【産業上の利用可能性】
【０１１８】
以上説明したように、本発明は居室内を加湿する加湿装置に有用である。
【符号の説明】
【０１１９】
１  本体、１ａ  吸込口、１ｂ  吹出口、１ｃ  給水接続口、１ｄ  排水接続口、２  加湿エレメント、３  風路、５  送風手段、２１  給水手段、２２  給水配管、２２ａ  給水口、２３  給水弁、３１  給水槽、３２  加湿供給水、４１  排水槽、４２  残水、５１  排水手段、５２  排水配管、５２ａ  排水口、７０  操作手段、７１  湿度センサ、８０  制御手段、１００  加湿装置、１０１  給水流量調整弁、１３１  給水タンク、１３２  排水タンク。
【図１】
2015152214.tif 000003
【図２】
2015152214.tif 000004
【図３】
2015152214.tif 000005
【図４】
2015152214.tif 000006
【図５】
2015152214.tif 000007
【図６】
2015152214.tif 000008
【図７】
2015152214.tif 000009
【図８】
2015152214.tif 000010
【図９】
2015152214.tif 000011
【図１０】
2015152214.tif 000012
【図１１】
2015152214.tif 000013
【図１２】
2015152214.tif 000014
【図１３】
2015152214.tif 000015